(57)【要約】【課題】画像を反転処理する際の利用者の利便性を向上させる。【解決手段】１つの態様において、電子機器は、画像に含まれる被写体の中から、所定の条件に合致する被写体を鏡像として反転させない所定の被写体として抽出し、所定の被写体の画像を除いた画像を鏡像として反転させた後、所定の被写体の画像を合成する制御部を備える。このため、電子機器は、画像を反転処理した場合、画像に含まれる文字および方向を指し示す物体の認識が利用者にとって困難になる状況を回避でき、画像を反転処理する際の利用者の利便性を向上できる。【選択図】図１
2017021468.tif 000002
【特許請求の範囲】
【請求項１】
画像に含まれる被写体の中から、所定の条件に合致する被写体の画像を、鏡像として反転させない非反転画像として抽出し、
前記非反転画像を除いた前記画像を鏡像として反転させた後、前記非反転画像を合成する制御部を備える電子機器。
【請求項２】
前記制御部は、前記被写体が文字情報である場合、当該文字情報の画像を前記非反転画像として抽出する請求項１に記載の電子機器。
【請求項３】
前記制御部は、前記被写体が方向を指し示す物体である場合、当該物体の画像を前記非反転画像として抽出する請求項１に記載の電子機器。
【請求項４】
前記方向を指し示す物体は、時計を含む請求項３に記載の電子機器。
【請求項５】
前記制御部は、前記所定の被写体を強調表示する請求項１から４のいずれか１つに記載の電子機器。
【請求項６】
画像を表示する表示部をさらに備え、
前記制御部は、
前記表示部に表示される画像上で領域を指定する操作を受け付けた場合、前記所定の条件に関係なく、前記領域に含まれる被写体の画像を前記非反転画像として抽出する請求項１から５のいずれか１つに記載の電子機器。
【請求項７】
電子機器により実行される画像加工方法であって、
画像を取得するステップと、
画像に含まれる被写体の中から、所定の条件に合致する被写体の画像を、鏡像として反転させない非反転画像として抽出するステップと、
前記非反転画像を除いた前記画像を鏡像として反転させた後、前記非反転画像を合成するステップと
を含む画像加工方法。
【請求項８】
電子機器に、
画像を取得するステップと、
画像に含まれる被写体の中から、所定の条件に合致する被写体の画像を、鏡像として反転させない非反転画像として抽出するステップと、
前記非反転画像を除いた前記画像を鏡像として反転させた後、前記非反転画像を合成するステップと
を実行させる画像加工プログラム。
【発明の詳細な説明】
【技術分野】
【０００１】
本出願は、電子機器、画像加工方法及び画像加工プログラムに関する。
【背景技術】
【０００２】
従来、カメラが搭載された電子機器において、カメラで撮影した画像を反転処理する技術がある。
【先行技術文献】
【特許文献】
【０００３】
【特許文献１】特開２０１２−８４９７５号公報
【発明の概要】
【発明が解決しようとする課題】
【０００４】
画像を反転処理した場合、反転処理された画像内の文字を認識したり、時計が示す時刻を認識したりすることが難しくなる。このように、画像を反転処理する際、反転処理させたくない被写体が存在する。
【課題を解決するための手段】
【０００５】
１つの態様に係る電子機器は、画像に含まれる被写体の中から、所定の条件を合致する被写体の画像を、鏡像として反転させない非反転画像として抽出し、前記非反転画像を除いた前記画像を鏡像として反転させた後、前記非反転画像を合成する制御部を備える。
【０００６】
１つの態様に係る画像加工方法は、画像加工装置により実行される画像加工方法であって、画像を取得するステップと、画像に含まれる被写体の中から、所定の条件を合致する被写体の画像を、鏡像として反転させない非反転画像として抽出するステップと、前記非反転画像を除いた前記画像を鏡像として反転させた後、前記非反転画像を合成するステップとを含む。
【０００７】
１つの態様に係る画像加工プログラムは、電子機器に、画像を取得するステップと、画像に含まれる被写体の中から、所定の条件を合致する被写体の画像を、鏡像として反転させない非反転画像として抽出するステップと、前記非反転画像を除いた前記画像を鏡像として反転させた後、前記非反転画像を合成するステップとを実行させる。
【図面の簡単な説明】
【０００８】
【図１】図１は、実施形態に係るスマートフォンの機能構成を示すブロック図である。
【図２】図２は、従来の方法で画像を反転処理した場合の画像の例を示す図である。
【図３】図３は、実施形態に係る方法で画像を反転処理した場合の画像の例を示す図である。
【図４】図４は、従来の方法で画像を反転処理した場合の画像の他の例を示す図である。
【図５】図５は、実施形態に係る方法で画像を反転処理した場合の画像の他の例を示す図である。
【図６】図６は、実施形態に係るスマートフォンの処理の流れを示すフローチャートである。
【図７】図７は、実施形態に係るスマートフォンの処理の流れを示すフローチャートである。
【発明を実施するための形態】
【０００９】
本出願に係る電子機器、画像加工方法及び画像加工プログラムを実施するための複数の実施形態を、図面を参照しつつ詳細に説明する。以下の実施形態では、電子機器の一例としてスマートフォンについて説明する。
【００１０】
図１を参照しつつ、実施形態に係るスマートフォンの機能構成の一例を説明する。図１は、実施形態に係るスマートフォンの機能構成を示すブロック図である。以下の説明において、同様の構成要素について同一の符号を付すことがある。さらに、重複する説明は省略することがある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６とを備える。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重なって位置してもよいし、並んで位置してもよいし、離れて位置してもよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。ディスプレイ２Ａが表示する文字、画像、記号、及び図形等を含む画面には、ロック画面と呼ばれる画面、ホーム画面と呼ばれる画面、アプリケーションの実行中に表示されるアプリケーション画面が含まれる。ホーム画面は、デスクトップ、待受画面、アイドル画面、標準画面、アプリ一覧画面又はランチャー画面と呼ばれることもある。ディスプレイ２Ａは、表示部の一例である。
【００１４】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。タッチスクリーン２Ｂが検出する複数の指、ペン、及びスタイラスペン等は、「指」と表記する場合がある。タッチスクリーン２Ｂが検出した指が接触又は近接した位置を「検出位置」と表記する場合がある。タッチスクリーン２Ｂは、タッチスクリーン２Ｂに対する指の接触を、検出位置とともにコントローラ１０に通知する。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１５】
タッチスクリーン２Ｂは、検出方式として、静電容量方式、抵抗膜方式、表面弾性波方式（又は超音波方式）、赤外線方式、電磁誘導方式、及び荷重検出方式等の任意の方式を採用してよい。
【００１６】
コントローラ１０は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。コントローラ１０が行える動作を、コントローラ１０を有するスマートフォン１は実行できる。言い換えると、コントローラ１０が行う動作は、スマートフォン１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
ボタン３は、利用者からの操作入力を受け付ける。ボタン３の数は、単数であっても、複数であってもよい。
【００１８】
照度センサ４は、照度を検出する。照度は、照度センサ４の測定面の単位面積に入射する光束の値である。照度センサ４は、例えば、ディスプレイ２Ａの輝度の調整に用いられる。
【００１９】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２０】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００２１】
レシーバ７は、音出力部の一例である。レシーバ７は、コントローラ１０から送信される音信号を音として出力する。レシーバ７は、例えば、スマートフォン１にて再生される動画の音、音楽の音、及び通話時の相手の声を出力することができる。マイク８は、音入力部の一例である。マイク８は、利用者の声等を音信号へ変換してコントローラ１０へ送信する。
【００２２】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムには、フォアグランド又はバックグランドで実行されるアプリケーションと、アプリケーションの動作を支援する制御プログラム（図示略）とが含まれる。アプリケーションの画面は、例えば、フォアグランドで実行される場合に、ディスプレイ２Ａに表示される。制御プログラムには、例えば、ＯＳが含まれる。アプリケーション及び基本プログラムは、通信ユニット６による無線通信又は非一過的な記憶媒体を介してストレージ９にインストールされてもよい。
【００２４】
ストレージ９は、画像加工プログラム９Ａ、カメラアプリケーション９Ｂ、電話アプリケーション９Ｃ、及び画像データ９Ｚなどを記憶する。
【００２５】
画像加工プログラム９Ａは、画像に含まれる被写体の中から、所定の条件に合致する被写体の画像を、鏡像として反転させない非反転画像として抽出し、非反転画像を除いた画像を鏡像として反転させた後、非反転画像を合成する機能を提供できる。所定の条件は、被写体が文字情報である場合、及び被写体が方向を指し示す物体である場合を含む。方向を指し示す物体は、時計を含む。
【００２６】
画像加工プログラム９Ａは、鏡像として反転させない非反転画像を強調表示する機能を提供できる。
【００２７】
画像加工プログラム９Ａは、ディスプレイ２Ａに表示される画像上で領域を指定する操作を受け付けた場合、上述の所定の条件に関係なく、当該領域に含まれる被写体の画像を非反転画像として抽出する機能を提供できる。
【００２８】
カメラアプリケーション９Ｂは、静止画像及び動画像の撮影、編集並びに管理などを行うための機能を提供できる。電話アプリケーション９Ｃは、無線通信による通話のための通話機能を提供する。
【００２９】
画像データ９Ｚは、静止画像のデータ、及び動画像のデータを含む。画像データ９Ｚは、自撮りにより撮影した静止画像のデータ、及び動画像のデータを含む。
【００３０】
ストレージ９は、上記のプログラム及びデータの他、画像加工プログラム９Ａなどにより提供される機能に基づいて実行される処理、及びカメラアプリケーション９Ｂなどにより提供される機能に基づいて実行される処理に用いられる各種データを記憶してよい。画像加工プログラム９Ａなどにより提供される機能に基づいて実行される処理に用いられるデータは、画像から文字情報として抽出した情報との照合を行うためのパターンを含む。
【００３１】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００３２】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、及び方位センサ１６を含むが、これらに限定されない。
【００３３】
コントローラ１０は、画像加工プログラム９Ａを実行することにより、画像に含まれる被写体の中から、所定の条件に合致する被写体の画像を、鏡像として反転させない非反転画像として抽出し、非反転画像を除いた画像を鏡像として反転させた後、非反転画像を合成する処理を実現する。所定の条件は、被写体が文字情報である場合、及び被写体が方向を指し示す物体である場合を含む。方向を指し示す物体は、時計を含む。
【００３４】
コントローラ１０は、非反転画像として、画像に含まれる文字情報の画像を抽出する。文字情報の抽出方法について具体的に説明する。光学文字認識やデジタル文字認識を用いることによって、画像に文字情報以外の部分が含まれていても、手書き文字や印字された文字を光学的に読み取ることができる。そして、前もって記憶されたパターンとの照合により、文字を特定し、文字に変換することで、文字情報として抽出することができる。例えば、コントローラ１０は、文字情報ではない大きな被写体Ａの中に、文字情報である小さな被写体Ｂが含まれていた場合、非反転画像として、被写体Ｂの画像だけを抽出する。そして被写体Ａを反転させた後で、被写体Ｂを反転された被写体Ａ上に合成する。また、コントローラ１０は、非反転画像として、画像に含まれる方向を指し示す物体の画像を抽出する。方向を指し示す物体の抽出方法について具体的に説明する。例えば、矢印の形状をなしているものを、方向を指し示す物体の画像として認識させるものである。特に、２または３つの矢印が交差していると認識した場合や、矢印が数字で囲まれている場合には、時計として認識させるものである。ここで矢印とは、先の尖った線状の被写体を矢印として画像認識するようにしておけばよいが、これに限らない。
【００３５】
非反転画像を抽出した後、コントローラ１０は、非反転画像を除外した画像を反転処理する。反転処理については、例えば、画像を構成する画素の並びを逆転させるなど、画像を左右反転（鏡像化）する従来技術をそのまま使用すればよい。
【００３６】
反転処理後、コントローラ１０は、反転処理した画像に非反転画像を合成する。特に、非反転画像が文字情報である場合には、非反転画像を抽出した領域を白抜きにするか、あるいは黒抜きにしたうえで合成をすれば、反転する前に元々あった文字情報と、非反転画像の文字情報とが重なって複雑な画像になることを低減できる。
【００３７】
コントローラ１０は、非反転画像を表示する際、反転処理された他の画像とは異なる態様で強調表示してもよい。
【００３８】
以下、図２から図５を参照しつつ、コントローラ１０により実行されるスマートフォン１の制御の例を説明する。図２から図５は、実施形態に係るスマートフォンによる制御の例を示す図である。
【００３９】
図２は、従来の方法で画像を反転処理した場合の画像の例を示す図である。図３は、実施形態に係る方法で画像を反転処理した場合の画像の例を示す図である。スマートフォン１がユーザＵ１および文字情報ＯＢ１を含む画像を従来の方法で反転処理すると、図２に示すように、ユーザＵ１を含む画像および文字情報ＯＢ１を含む画像の双方が反転された状態でディスプレイ２Ａに表示される。これに対して、スマートフォン１がユーザＵ１および文字情報ＯＢ１を含む画像を実施形態に係る方法で反転処理すると、図３に示すように、ユーザＵ１を含む画像のみが反転処理され、文字情報ＯＢ１を含む画像については反転されない状態でディスプレイ２Ａに表示される。すなわち、スマートフォン１は、画像に含まれる被写体の中から、所定の条件に合致する文字情報ＯＢ１の画像を、鏡像として反転させない非反転画像として抽出する。続いて、スマートフォン１は、文字情報ＯＢ１の画像を除いた画像を反転処理した後、文字情報ＯＢ１の画像を合成する。このため、図３に示すように、文字情報ＯＢ１を含む画像については反転されない状態でディスプレイ２Ａに表示される。
【００４０】
図４は、従来の方法で画像を反転処理した場合の画像の他の例を示す図である。図５は、実施形態に係る方法で画像を反転処理した場合の画像の他の例を示す図である。図４及び図５に示す例では、方向を指し示す物体が時計ＯＢ２の例である。スマートフォン１がユーザＵ１および時計ＯＢ２を含む画像を従来の方法で反転処理すると、図４に示すように、ユーザＵ１を含む画像および時計ＯＢ２を含む画像の双方が反転された状態でディスプレイ２Ａに表示される。これに対して、スマートフォン１がユーザＵ１および時計ＯＢ２を含む画像を実施形態に係る方法で反転処理すると、図５に示すように、ユーザＵ１を含む画像のみが反転処理され、時計ＯＢ２を含む画像については反転されない状態でディスプレイ２Ａに表示される。すなわち、スマートフォン１は、画像に含まれる被写体の中から、所定の条件に合致する時計ＯＢ２の画像を、鏡像として反転させない非反転画像として抽出する。続いて、スマートフォン１は、時計ＯＢ２の画像を除いた画像を反転処理した後、時計ＯＢ２の画像を合成する。このため、図５に示すように、時計ＯＢ２を含む画像については反転されない状態でディスプレイ２Ａに表示される。
【００４１】
なお、コントローラ１０は、ディスプレイ２Ａに表示した画像上で、当該画像内の領域を指定する操作を、タッチスクリーン２Ｂを介して利用者から受け付けると、当該領域に含まれる被写体の画像を非反転画像として抽出することもできる。このとき、コントローラ１０は、利用者により指定された領域に含まれる被写体が、文字情報であるか、あるいは方向を指し示す物体であるかに関わらず、非反転画像として抽出する。この場合、コントローラ１０は、例えば、文字情報の画像、方向を指し示す物体の画像、及び利用者により指定された領域に含まれる被写体の画像を、所定の条件に合致する被写体の画像として抽出する。
【００４２】
スピーカ１１は、音出力部を含む。スピーカ１１は、コントローラ１０から送信される音信号を音として出力する。スピーカ１１は、例えば、着信音及び音楽を出力してもよい。レシーバ７及びスピーカ１１の一方が、他方の機能を兼ねてもよい。
【００４３】
カメラ１２及びカメラ１３は、撮影した画像を電気信号へ変換できる。カメラ１２は、ディスプレイ２Ａに面している物体を撮影するインカメラでもよい。カメラ１３は、ディスプレイ２Ａの反対側の面に面している物体を撮影するアウトカメラでもよい。カメラ１２及びカメラ１３は、インカメラ及びアウトカメラを切り換えて利用可能なカメラユニットとして、機能的及び物理的に統合された状態でスマートフォン１に実装されてもよい。
【００４４】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及びスマートフォンを含むが、これらに限定されない。
【００４５】
加速度センサ１５は、スマートフォン１に作用する加速度の方向及び大きさを検出する。方位センサ１６は、例えば、地磁気の向きを検出し、地磁気の向きに基づいて、スマートフォン１の向き（方位）を検出する。
【００４６】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信できる。ＧＰＳ受信機は、受信した電波信号の復調処理を行って、処理後の信号をコントローラ１０に送出する。ＧＰＳ受信機は、スマートフォン１の現在位置の演算処理をサポートする。バイブレータは、スマートフォン１の一部又は全体を振動させる。バイブレータは、振動を発生させるために、例えば、圧電素子、又は偏心モータなどを有する。バッテリなど、スマートフォン１の機能を維持するために当然に用いられる機能部、及びスマートフォン１の制御を実現するために当然に用いられる制御部は、スマートフォン１に実装される。
【００４７】
図６及び図７を参照しつつ、実施形態に係るスマートフォン１により実行される処理の流れを説明する。図６及び図７は、実施形態に係るスマートフォンの処理の流れを示すフローチャートである。図６及び図７に示す処理は、コントローラ１０が、ストレージ９に記憶されている画像加工プログラム９Ａを実行することにより実現される。
【００４８】
図６は、画像内から所定の条件に合致する被写体の画像を非反転画像として抽出する処理の例である。図６に示すように、コントローラ１０は、ストレージ９から画像を読込む（ステップＳ１０１）。
【００４９】
続いて、コントローラ１０は、ステップＳ１０１で読み込んだ画像内に所定の条件に合致する被写体があるかを判定する（ステップＳ１０２）。所定の条件は、被写体が文字情報である場合、及び被写体が方向を指し示す物体である場合を含む。
【００５０】
コントローラ１０は、判定の結果、画像内に所定の条件に合致する被写体がある場合（ステップＳ１０２，Ｙｅｓ）、所定の条件に合致する被写体の画像を非反転画像として抽出する（ステップＳ１０３）。
【００５１】
続いて、コントローラ１０は、非反転画像を除いた画像を反転処理する（ステップＳ１０４）。続いて、コントローラ１０は、ステップＳ１０４で反転処理した画像に対して、ステップＳ１０３で抽出した非反転画像を合成処理して（ステップＳ１０５）、図６に示す処理を終了する。
【００５２】
上記のステップＳ１０２において、コントローラ１０は、判定の結果、画像内に所定の条件に合致する被写体がない場合（ステップＳ１０２，Ｎｏ）、ステップＳ１０１で読み込んだ画像をそのまま反転処理して（ステップＳ１０６）、図６に示す処理を終了する。
【００５３】
図７は、画像内から所定の条件に合致する被写体の画像を非反転画像として抽出するだけでなく、利用者が非反転画像を選択する処理の例である。図７に示すように、コントローラ１０は、ストレージ９から画像を読込み（ステップＳ２０１）、ディスプレイ２Ａに表示する（ステップＳ２０２）。
【００５４】
続いて、コントローラ１０は、ディスプレイ２Ａに表示した画像上で、反転させない被写体の選択操作の受付を実行する（ステップＳ２０３）。
【００５５】
続いて、コントローラ１０は、選択操作が完了されたかを判定する（ステップＳ２０４）。例えば、コントローラ１０は、選択操作を完了する利用者の操作を受け付けた場合、選択操作が完了されたものと判定する。
【００５６】
コントローラ１０は、判定の結果、選択操作が完了されていない場合（ステップＳ２０４，Ｎｏ）、上記のステップＳ２０３に戻る。これとは反対に、コントローラ１０は、判定の結果、選択操作が完了された場合（ステップＳ２０４，Ｙｅｓ）、画像内に所定の条件に合致する被写体があるかを判定する（ステップＳ２０５）。所定の条件は、被写体が文字情報である場合、被写体が方向を指し示す物体である場合、及び利用者により指定された領域に含まれる被写体である場合を含む。
【００５７】
コントローラ１０は、判定の結果、画像内に所定の条件に合致する被写体がある場合（ステップＳ２０５，Ｙｅｓ）、所定の条件に合致する被写体の画像を非反転画像として抽出する（ステップＳ２０６）。
【００５８】
続いて、コントローラ１０は、非反転画像を除いた画像を反転処理する（ステップＳ２０７）。続いて、コントローラ１０は、ステップＳ２０７で反転処理した画像に対して、ステップＳ２０６で抽出した非反転画像を合成処理して（ステップＳ２０８）、図７に示す処理を終了する。
【００５９】
上記のステップＳ２０５において、コントローラ１０は、判定の結果、画像内に所定の条件に合致する被写体がない場合（ステップＳ２０５，Ｎｏ）、ステップＳ２０１で読み込んだ画像をそのまま反転処理して（ステップＳ２０９）、図７に示す処理を終了する。すなわち、コントローラ１０は、画像内に文字情報がない場合、方向を指し示す物体が無い場合、利用者により指定された領域に含まれる被写体がない場合、ステップＳ２０１で読み込んだ画像をそのまま反転処理する。
【００６０】
図６及び図７に示す処理は、ストレージ９又はコネクタ１４を介して接続された記憶媒体などから読み込んだ画像を再生する際に実行する場合に限定されない。例えば、カメラ１２などにより撮影された画像をストレージ９に保存する際に実行してもよい。
【００６１】
上記実施形態において、スマートフォン１は、画像に含まれる被写体の中から、所定の条件に合致する被写体の画像を、鏡像として反転させない非反転画像として抽出し、非反転画像を除いた画像を鏡像として反転させた後、非反転画像を合成する。このため、実施形態によれば、画像を反転処理した場合、画像に含まれる文字および方向を指し示す物体の認識が利用者にとって困難になる状況を回避でき、画像を反転処理する際の利用者の利便性を向上できる。
【００６２】
上記の実施形態で説明した処理は、携帯電話、スマートフォン、タブレットなど、画像を撮影する機能、画像を再生する機能、及び画像を保存する機能を有する電子機器に適用できる。
【００６３】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００６４】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  画像加工プログラム
９Ｂ  カメラアプリケーション
９Ｃ  電話アプリケーション
９Ｚ  画像データ
１０  コントローラ
１１  スピーカ
１２  カメラ
１３  カメラ
１４  コネクタ
１５  加速度センサ
１６  方位センサ
【図１】
2017021468.tif 000003
【図２】
2017021468.tif 000004
【図３】
2017021468.tif 000005
【図４】
2017021468.tif 000006
【図５】
2017021468.tif 000007
【図６】
2017021468.tif 000008
【図７】
2017021468.tif 000009